(57)【要約】【課題】原稿搬送手段上の汚れが原稿透けにより原稿画像データに与え得る影響を軽減することができる画像読取装置を提供する。【解決手段】画像読取装置１００は、原稿１０１を搬送するための原稿搬送ベルト１１１及び原稿１０１の厚みを検知する原稿厚みセンサ１１３を備えるＡＤＦ１１０と、原稿１０１の画像を原稿画像データとして読み取るリニアイメージセンサ１０８と、ベルト汚れ補正回路２１０とを備え、リニアイメージセンサ１０８は、原稿搬送ベルト１１１の表面上のベルト汚れを読み取り、ベルト汚れ補正回路２１０は、該ベルト汚れと原稿１０１の厚みとに基づいて原稿画像データに対してベルト汚れ補正を行う。【選択図】      図２
2004194253.tif 000002
【特許請求の範囲】
【請求項１】
原稿を搬送するための原稿搬送手段と、
前記原稿の画像を原稿画像データとして読み取る画像読取手段と、
前記原稿搬送手段上の汚れを検出する汚れ検出手段と、
前記原稿の厚みを設定する原稿厚み設定手段と、
前記検出した原稿搬送手段上の汚れ及び前記原稿の厚みに基づいて前記原稿画像データを補正する補正手段と
を備えることを特徴とする画像読取装置。
【発明の詳細な説明】
【０００１】
【発明の属する技術分野】
本発明は、画像読取装置に関し、特に原稿を搬送する原稿自動搬送装置と、原稿の画像を読み取る手段としてイメージセンサとを備える画像読取装置に関する。
【０００２】
【従来の技術】
従来の画像読取装置は、原稿の画像を読み取る手段としてリニアイメージセンサを備えている。
【０００３】
図１０は、リニアイメージセンサを用いた従来の画像読取装置の一例の概略構成を示す断面図である。
【０００４】
図１０において、従来の画像読取装置１０００は、原稿１００１を載置するための原稿台ガラス１００２、原稿１００１を搬送するための原稿自動搬送装置１０１０、原稿台１００２に載置された原稿１００１に光を照射するランプ１００３、原稿１００１に反射した光を誘導するミラー１００４〜１００６、当該ミラー１００４〜１００６によって誘導された光を結像させるレンズ１００７、及びレンズ１００７によって結像した原稿１００１の画像を原稿画像データとして読み取るリニアイメージセンサ１００８を備える。原稿自動搬送装置１０１０は、白色や黄色等の明るい色の原稿搬送ベルト１０１１を備えている。
【０００５】
画像読取装置１０００において、原稿自動搬送装置１０１０上に載置された複数枚の原稿は、１枚づつ原稿搬送ベルト１０１１により原稿台ガラス１００２上に搬送され、その画像がリニアイメージセンサ１００８により読み取られる。
【０００６】
また、原稿自動搬送装置１０１０を使用しないときは、原稿１００１が原稿台ガラス１００２上に直接に載置され、その状態で原稿１００１の画像を読み取る固定読み（ＢＯＯＫ読み）が行われる。
【０００７】
【発明が解決しようとする課題】
しかしながら、画像読取装置１０００においては、使用するに従って原稿搬送ベルト１０１１が徐々に汚れる（ベルト汚れ）。
【０００８】
図１１（ａ）は、ベルト汚れが発生した原稿搬送ベルト１０１１を示す図であり、図１１（ｂ）は、リニアイメージセンサ１００８により読み取られた（ａ）の原稿搬送ベルト１０１１の信号レベルを示す信号波形図である。
【０００９】
上記ベルト汚れは、（ａ）に示すように、原稿搬送ベルト１０１１の回転方向と平行に発生する。（ｂ）に示すように、ベルト汚れの部分はリニアイメージセンサ１００８により暗く読み取られる。
【００１０】
図１２（ａ）は、図１１（ｂ）の信号波形図と同じ原稿搬送ベルト１０１１の信号レベルを示す信号波形図であり、図１２（ｂ）は、図１２（ａ）の場合に、白紙原稿を読み取ったときの信号レベルを示す信号波形図である。
【００１１】
（ａ）に示すベルト汚れが有る場合において、白紙原稿が読み取られたときは、（ｂ）に示すように、原稿の厚みに応じて当該原稿を透過する光の強度を示す信号レベルにベルト汚れが影響する。特に、原稿が薄いほど原稿透けが発生するので、読み取られた原稿の信号波形にベルト汚れの信号波形が悪影響する。
【００１２】
この結果、原稿が読み取られたときは、ベルト汚れの部分が暗いほど読み取られた原稿は暗く読み取られる。
【００１３】
本発明の目的は、原稿搬送手段上の汚れが原稿透けにより原稿画像データに与え得る影響を軽減することができる画像読取装置を提供することにある。
【００１４】
【課題を解決するための手段】
上記目的を達成するために、請求項１記載の画像読取装置は、原稿を搬送するための原稿搬送手段と、前記原稿の画像を原稿画像データとして読み取る画像読取手段と、前記原稿搬送手段上の汚れを検出する汚れ検出手段と、前記原稿の厚みを設定する原稿厚み設定手段と、前記検出した原稿搬送手段上の汚れ及び前記原稿の厚みに基づいて前記原稿画像データを補正する補正手段とを備えることを特徴とする。
【００１５】
【発明の実施の形態】
以下、本発明の実施の形態を図面を参照しながら説明する。
【００１６】
まず、本発明の第１の実施の形態を説明する。
【００１７】
図１は、本発明の第１の実施の形態に係る画像読取装置の一例の概略構成を示す断面図である。なお、図１における矢印Ｐは原稿の搬送方向を示している。
【００１８】
図１において、画像読取装置１００は、原稿１０１を載置するための原稿台ガラス１０２（プラテンガラス）、原稿１０１を搬送するためのＡＤＦ（Auto Document Feeder：原稿自動搬送装置）１１０、原稿台ガラス１０２に載置された原稿１０１に光を照射するランプ１０３、原稿１０１に反射した光を誘導するミラー１０４〜１０６、ミラー１０４〜１０６に誘導された光を結像させるレンズ１０７、レンズ１０７によって結像した原稿１０１の画像を原稿画像データとして読み取るリニアイメージセンサ１０８（画像読取手段）、及び搬送された原稿１０１が排出されるための原稿排紙トレイ１０９を備える。ランプ１０３及びミラー１０４はスキャンユニットを構成する。
【００１９】
ＡＤＦ１１０は、例えば白色の原稿搬送ベルト１１１（原稿搬送手段）と、給紙されるべき原稿１０１を複数枚で上面の上に載置される給紙トレイ１１２と、給紙トレイ１１２から給紙される原稿１０１の搬送路上に設けられた原稿厚みセンサ１１３とを備えている。原稿搬送ベルト１１１の色は、黄色等の明るい色であってもよい。
【００２０】
図２は、画像読取装置１００の内部の概略構成を示すブロック図である。
【００２１】
図２において、画像読取装置１００は、リニアイメージセンサ１０８に接続されているアンプ（ＡＭＰ）２０２、アンプ２０２に接続されているＡＤ変換回路（Ａ／Ｄ）２０３、ＡＤ変換回路２０３に接続されており、リニアイメージセンサ１０８の主走査方向のシェーディングムラを補正するシェーディング補正回路２０４、シェーディング補正回路２０４に接続されているベルト汚れ補正回路２１０、及びベルト汚れ補正回路２１０に接続しているＣＰＵ２２０を内部に備える。
【００２２】
ベルト汚れ補正回路２１０はさらに、シェーディング補正回路２０４に接続されているＬＰＦ（Low Pass Filter）２１１、ＬＰＦ２１１に接続されている加算回路２１２、加算回路２１２と互いに接続されているラインメモリ２１３、ラインメモリ２１３に接続されている補正係数変換演算回路２１４、ＣＰＵ２２０及び補正係数変換演算回路２１４に接続されている乗算回路２１５、並びにシェーディング補正回路２０４及び乗算回路２１５に接続されている乗算回路２１６を含む。このベルト汚れ補正回路２１０（補正手段）は、後述するように原稿画像データに対してベルト汚れ補正を実行し、ベルト汚れ補正が実行された出力画像データを乗算回路２１６を介して出力する。
【００２３】
なお、原稿厚みセンサ１１３、乗算回路２１５、及びＣＰＵ２２０に関しては、後述する。
【００２４】
以下、画像読取装置１００の作動を説明する。
【００２５】
画像読取装置１００において、まず、ＡＤＦ１１０の原稿トレイ１１２上に載置された複数枚の原稿は１枚づつ原稿搬送ベルト１１１により原稿台ガラス１０２上に搬送される。搬送されて原稿台ガラス１０２上に載置された原稿１０１と平行に、スキャンユニットは、原稿１０１に沿って図１における矢印Ｓ方向に直線的に（リニア状に）移動しながらランプ１０３から原稿１０１に向けて光を照射する。原稿１０１に反射した光は、ミラー１０４〜１０６及びレンズ１０７を介してリニアイメージセンサ１０８に誘導的に結像させられる。該結像した原稿１０１の画像は、リニアイメージセンサ１０８により読み取られる。なお、この原稿１０１の画像を読み取って、出力画像データを生成するまでの動作を、以下、「原稿読み取り」という。
【００２６】
また、ＡＤＦ１１０を使用しないときは、原稿１０１が原稿台ガラス１０２上に直接に載置され、その状態で原稿１０１の画像を読み取る固定読み（ＢＯＯＫ読み）が行われる。
【００２７】
以下、画像読取装置１００のベルト汚れ補正動作を説明する。
【００２８】
図３は、画像読取装置１００によって実行されるベルト汚れ補正処理における動作タイミング図の一例を示す図であり、ＡＤＦ１１０により、例えば２枚の原稿１０１が所定の搬送間隔をおいて連続的に且つ自動的に給紙されている場合を示している。
【００２９】
図３におけるベルト汚れデータ獲得期間Ａは、原稿１０１を自動給紙している間の時間であって（すなわち、原稿１０１がランプ１０３の光路上に存在しない原稿搬送動作タイミングで）、移動する原稿搬送ベルト１１１の表面（以下、「ベルト面」という）をリニアイメージセンサ１０８（汚れ検出手段）で読み取り、ベルト汚れデータを得るまでの時間である。なお、ベルト汚れデータ獲得期間Ａは、原稿読み取り動作毎に設けられるのが好ましい。
【００３０】
また、同図におけるベルト汚れ補正期間Ｂは、原稿読み取り中の時間であって（すなわち、原稿読み取り動作タイミングで）、ベルト汚れデータ獲得期間Ａに得たベルト汚れデータに基づいたベルト汚れ補正の実行が完了するまでの時間である。
【００３１】
図３に示すように、２枚の原稿１０１は所定の搬送間隔をおいて連続的に且つ自動的に給紙されている。
【００３２】
まず、ベルト汚れデータ獲得期間Ａにおいて、画像読取装置１００は以下に説明する一連の動作を行うサンプリング加算動作を行う。このサンプリング加算動作により、ベルト汚れを副走査方向に平均化することができる。
【００３３】
サンプリング加算動作時には、リニアイメージセンサ１０８が移動回転中のベルト面を読み取り、シェーディング補正回路２０４によるシェーディングムラ補正後の画像信号をＬＰＦ２１１が主走査方向にスムージング処理する。これにより、画像信号の高周波成分を除去することができる。その後、加算回路２１２及びラインメモリ２１３が、同一主走査アドレスの複数の画像信号を、複数本の読み取りラインに亘り、累積加算する。こうして、ベルト汚れデータの獲得が終了する。
【００３４】
次いで、ベルト汚れ補正期間Ｂにおいては、ベルト汚れデータ獲得期間Ａで獲得したベルト汚れデータに対して補正係数変換演算回路２１４が後述するベルト汚れ補正係数への変換を行い、さらに乗算回路２１５にてＣＰＵ２２０から設定されるベルト汚れ補正の度合いに対応した補正補助係数α（０．０≦α≦１．０）がベルト汚れ補正係数に乗算され、最終的に乗算回路２１６が原稿画像データ信号に乗算する。こうしてベルト汚れの補正が実行され、ベルト面上のベルト汚れが原稿１０１の透けにより原稿画像データに与え得る影響を軽減することができる。
【００３５】
図４は、図３のベルト汚れデータ獲得期間Ａにおいて獲得したベルト汚れデータとベルト汚れ補正係数との関係を示す図である。
【００３６】
図４におけるＢtarは、ベルト面上にベルト汚れが発生していないときに読み取られたベルト面の信号レベルの値であり、例えば、原稿搬送ベルト１１１が新品のときに読み取られたものを用いることができる。この新品の原稿搬送ベルト１１１のベルト面の信号レベルの値は、画像読取装置１００が予め自動測定した値を用いるのが好ましい。
【００３７】
なお、Ｂtarとして、新品の原稿搬送ベルト１１１のベルト面の信号レベルの値を用いるとしたが、予め決められた、新品の原稿搬送ベルト１１１のベルト面の信号レベルの値に相当する値を画像読取装置１００に格納したものを用いてもよく、また、獲得したベルト汚れデータに所定の処理（例えば、ベルト汚れデータに関するヒストグラム上の最多値を検出するための検出処理）を行って算出したものを用いてもよい。
【００３８】
図４に示すように、ベルト汚れ補正係数は、上記Ｂtar対するベルト汚れデータの値の割合であって、下記式（１）の演算結果である。
【００３９】
ベルト汚れ補正係数＝Ｂtar／ベルト汚れデータの値          …（１）
この演算により、ベルト汚れデータに対応したベルト汚れ補正係数を主走査方向における各アドレス毎に得ることができる。
【００４０】
画像読取装置１００は、原稿厚みセンサ１１３の出力を利用する。
【００４１】
図１及び図２において、原稿厚みセンサ１１３（原稿厚み設定手段，原稿厚み検知手段）は、搬送される原稿１０１の厚みを検知し、その検知結果をＣＰＵ２２０へ出力する。ＣＰＵ２２０は、原稿厚みセンサ１１３の出力に基づいて補正補助係数αを設定し、乗算回路２１５は、ＣＰＵ２２０により設定された補正補助係数αをベルト汚れ補正係数に乗算する。
【００４２】
図５は、画像読取装置１００において利用される原稿厚みセンサ１１３の構成の一例を示すブロック図である。
【００４３】
図５において、原稿厚みセンサ１１３は、ステンレス等から成る金属コア５０１、金属コア５０１に対向するように配置されて金属コア５０１と所定間隔の間隙を形成している紙厚検知ピックアップ５１０、及び紙厚検知ピックアップ５１０に接続している紙厚トランス信号検出回路５０２により構成される。紙厚検知ピックアップ５１０は、所定信号レベルの２次側の信号を誘起する発振源信号を発振するための発振源５１１と、所定の相互インダクタンス値を有するトランス５１２とにより構成される。
【００４４】
原稿厚みセンサ１１３において、まず、原稿１０１の厚み（以下、「紙厚」という）を検知すべき原稿１０１は、矢印Ｐ方向（原稿通過方向）へ金属コア５０１と紙厚検知ピックアップ５１０との間隙を通過する際に、金属コア５０１と紙厚検知ピックアップ５１０とにより挟持されて、金属コア５０１と紙厚検知ピックアップ５１０との間隔は、紙厚に応じて矢印Ｃ方向に金属コア５０１が移動することにより変動する。次いで、トランス５１２及び金属コア５０１の間隔の変動に応じてトランス５１２の相互インダクタンス値が変化して、発振源５１１からの発振源信号により誘起されている２次側の信号は、その信号レベルが変化する。この信号はトランス信号検出回路５０２により直流信号に変換（すなわち、信号レベルの変化が検波）される。このようにして、原稿厚みセンサ１１３は紙厚に応じた信号である紙厚信号を得て、ＣＰＵ２２０へ出力する。
【００４５】
図６は、原稿厚みセンサ１１３によって検知された紙厚とＣＰＵ２２０によって設定される補正補助係数αとの関係の一例を示す図である。
【００４６】
ＣＰＵ２２０は、図６に基づいて補正補助係数αを可変的に設定する。
【００４７】
図６に示すように、補正補助係数αは、ベルト汚れ補正の程度を可変するためのパラメータであって、例えば、ベルト汚れが影響しない、紙厚が厚い原稿（厚紙原稿）１０１を読み取る場合にはその値は"０．０"に設定され、ベルト汚れが影響する、紙厚が薄い原稿（薄紙原稿）１０１を読み取る場合にはその値は最大で"１．０"に設定される。
【００４８】
画像読取装置１００によれば、ＣＰＵ２２０が補正補助係数αの値を紙厚に応じて、すなわち図６に基づいて自動的に可変するので、原稿厚みセンサ１１３の出力に応じて容易にベルト汚れ補正を行うことができ、ベルト面上のベルト汚れが原稿１０１の透けにより原稿画像データに与え得る影響を容易に軽減することができる。
【００４９】
補正補助係数αを、図６に基づいて自動的に可変的に設定するとしたが、紙厚に対して改めて設定してもよく、例えば多用される原稿１０１の紙厚に対応させて補正補助係数αの値を一定値として扱うべく設定してもよい（原稿厚み設定手段）。この場合、画像読取装置１００は、原稿厚みセンサ１１３（原稿厚み検知手段）を備えなくてもよい。
【００５０】
図７は、図１の画像読取装置１００において実行されるベルト汚れ補正処理を示すフローチャートである。
【００５１】
図７において、まず、ステップＳ７０１では、ＡＤＦ１１０は１枚の原稿１０１を給紙トレイ１１２から読み取り部（原稿台ガラス１０２側）へ搬送する。ステップＳ７０２では、原稿１０１が原稿台ガラス１０２上に搬送されるまでの間に、リニアイメージセンサ１０８はベルト面を読み取る。こうして、ベルト汚れデータの獲得が終了する。原稿１０１が原稿台ガラス１０２上に搬送されるまでの間にベルト面の読み取りを行うので、原稿搬送ベルト１１１の回転を利用することができ、もって容易にベルト汚れを検出することができる。
【００５２】
次いで、ステップＳ７０３では、ラインメモリ２１３は獲得されたベルト汚れデータを格納する。
【００５３】
一方、ステップＳ７０４では、搬送した原稿１０１の紙厚を原稿厚みセンサ１１３が検知し、ステップＳ７０５では、ＣＰＵ２２０は検知された紙厚に応じた補正補助係数αを算出して設定する。
【００５４】
そして、ステップＳ７０６では、原稿読み取り動作を開始し、ステップＳ７０７では、原稿読み取り中に、ステップＳ７０３で格納したベルト汚れデータと補正補助係数αとによる、原稿画像データに対するベルト汚れ補正を実行し、原稿読み取り動作を終了する。
【００５５】
ステップＳ７０８では、ベルト汚れ補正が実行された原稿１０１が原稿読み取りすべき最終原稿であるか否かを判別し、該判別の結果、最終原稿でないときは、以上の処理を最終原稿まで繰り返して、本処理を終了する。
【００５６】
図７の処理によれば、搬送された１枚１枚の原稿１０１の原稿画像データ対して適切なベルト汚れ補正を実行するので、ベルト面上のベルト汚れが原稿１０１の透けにより原稿画像データに与え得る影響を容易に軽減することができる。
【００５７】
次に、本発明の第２の実施の形態を説明する。
【００５８】
図８は、本発明の第２の実施の形態に係る画像読取装置の内部の概略構成を示すブロック図である。
【００５９】
図８の画像読取装置８００は、ベルト汚れ補正回路８１０が図２の画像読取装置１００と異なり、図２に示したベルト汚れ補正回路２１０から補正係数変換演算回路２１４を削除し、ラインメモリ２１３とＣＰＵ２２０とが直接に接続されている。画像読取装置８００においては、ＣＰＵ２２０が補正係数変換演算回路２１４の代わりを務め、ラインメモリ２１３中に格納されたベルト汚れ補正データを読み取って、前述の演算によりベルト汚れ補正係数への変換を行い、ラインメモリ２１３中にデータを書き換えることができる。これにより、図２の補正係数変換演算回路２１４と同じ演算結果を得ることができる。
【００６０】
なお、その他の基本的な要素及び部分並びにそれらの動作は、図２の画像読取装置１００と同じであるので、同じ符号を用いるものとし、それらの説明は省略する。
【００６１】
さらに、第３の実施の形態を説明する。
【００６２】
図９は、本発明の第３の実施の形態に係る画像読取装置の内部の概略構成を示すブロック図である。
【００６３】
図９の画像読取装置９００は、図８に示したベルト汚れ補正回路８１０から乗算回路２１５を削除したベルト汚れ補正回路９１０を備える点が図８の画像読取装置８００と異なる。画像読取装置９００においては、ＣＰＵ２２０が乗算回路２１５の代わりを務め、ベルト汚れ補正係数に補正補助係数αを乗算する処理までをも行う。
【００６４】
なお、その他の基本的な要素及び部分並びにそれらの動作は、図８の画像読取装置８００と同じであるので、同じ符号を用いるものとし、それらの説明は省略する。
【００６５】
上記第１乃至第３の実施の形態では、ベルト面上のベルト汚れを検出するためにベルト面の画像を読み取る手段としてリニアイメージセンサ１０８を用いたが、ベルト汚れを検出するセンサであればいかなるものであってもよい。なお、ベルト汚れの検出にリニアイメージセンサ１０８を用いると、原稿読み取り動作と兼用することができ、効率的にベルト汚れ補正を行うことができる。
【００６６】
また、上記実施の形態では、ＡＤＦ１１０を用いた場合の処理を説明したが、ベルト汚れデータが格納されていれば、原稿台ガラス１０２上に直接に載置された原稿１０１に対して原稿読み取り（固定読み）を行う場合であっても、該格納されているベルト汚れデータに基づいて同様に原稿画像データに対してベルト汚れ補正処理を実行することができる。
【００６７】
また、本発明は、上述した実施の形態の機能を実現するソフトウェアのプログラム（図７のフローチャートに対応するプログラムなど）をコンピュータ又はＣＰＵに供給し、そのコンピュータ又はＣＰＵが該供給されたプログラムを読み出して実行することによって、本発明の目的を達成することができるのはいうまでもない。
【００６８】
この場合、上記プログラムは、該プログラムを記憶した記憶媒体から直接供給されるか、又はインターネット、商用ネットワーク、若しくはローカルエリアネットワークなどに接続される不図示の他のコンピュータやデータベースなどからダウンロードすることにより供給される。
【００６９】
また、上記プログラムは、上述した実施の形態の機能を実現することができればよく、そのプログラムの形態は、オブジェクトコード、インタプリタにより実行されるプログラムコード、オペレーティングシステム（ＯＳ）に供給されるスクリプトデータなどの形態から成ってもよい。
【００７０】
更にまた、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読み出して実行することによっても、本発明の目的を達成することができるのはいうまでもない。
【００７１】
上述した実施の形態において、プログラムを供給する記憶媒体としては、例えば、ＲＡＭ、ＲＯＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−Ｒ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、或いはネットワークを介したダウンロードなどの上記プログラムを記憶することができるものであればよい。
【００７２】
以下、本発明の実施態様の例を列挙する。
【００７３】
〔実施態様１〕  原稿を搬送するための原稿搬送手段と、前記原稿の画像を原稿画像データとして読み取る画像読取手段と、前記原稿搬送手段上の汚れを検出する汚れ検出手段と、前記原稿の厚みを設定する原稿厚み設定手段と、前記検出した原稿搬送手段上の汚れ及び前記原稿の厚みに基づいて前記原稿画像データを補正する補正手段とを備えることを特徴とする画像読取装置。
【００７４】
〔実施態様２〕  前記原稿厚み設定手段は、前記原稿の厚みを検知する原稿厚み検知手段を備えることを特徴とする実施態様１記載の画像読取装置。
【００７５】
実施態様２記載の画像読取装置によれば、検知された原稿の厚みに基づいて補正するので、検知された原稿の厚みに基づく原稿透けに基づいて補正することができ、もって、原稿搬送手段上の汚れが原稿透けにより原稿画像データに与え得る影響を正確に軽減することができる。
【００７６】
〔実施態様３〕  前記補正手段は、前記原稿搬送手段上の汚れに対応した補正データを生成する補正データ生成手段を備え、前記生成された補正データに基づいて前記補正を行うことを特徴とする実施態様１又は２記載の画像読取装置。
【００７７】
実施態様３記載の画像読取装置によれば、原稿搬送手段上の汚れに対応して生成された補正データに基づいて補正を行うので、原稿搬送手段上の汚れが原稿透けにより原稿画像データに与え得る影響を容易に軽減することができる。
【００７８】
〔実施態様４〕  さらに、前記補正手段は、前記生成された補正データを格納する補正データ格納手段を備え、前記格納された補正データに基づいて前記補正を行うことを特徴とする実施態様３記載の画像読取装置。
【００７９】
実施態様４記載の画像読取装置によれば、補正データを格納するので、原稿搬送手段上の汚れが原稿透けにより原稿画像データに与え得る影響を容易に且つ確実に軽減することができる。
【００８０】
〔実施態様５〕  前記原稿搬送手段により原稿を搬送しないときは、前記補正手段は、前記格納された補正データに基づいて前記補正を行うことを特徴とすることを特徴とする実施態様４記載の画像読取装置。
【００８１】
実施態様５記載の画像読取装置によれば、原稿搬送手段により原稿を搬送しないときは格納された補正データに基づいて補正を行うので、原稿搬送手段により原稿を搬送しないときでも原稿搬送手段上の汚れが原稿透けにより原稿画像データに与え得る影響を容易に且つ確実に軽減することができる。
【００８２】
〔実施態様６〕  前記汚れ検出手段は、前記画像読取手段であることを特徴とする実施態様１乃至５のいずれか１項に記載の画像読取装置。
【００８３】
実施態様６記載の画像読取装置によれば、原稿の画像の読み取りと原稿搬送手段上の汚れの検出とを兼ねるので、原稿搬送手段上の汚れが原稿透けにより原稿画像データに与え得る影響を効率的に軽減することができる。
【００８４】
〔実施態様７〕  原稿を搬送するための原稿搬送装置により原稿を搬送する搬送工程と、前記原稿の画像を原稿画像データとして読み取る画像読取工程と、前記原稿搬送装置上の汚れを検出する汚れ検出工程と、前記原稿の厚みを設定する原稿厚み設定工程と、前記検出した原稿搬送装置上の汚れ及び前記原稿の厚みに基づいて前記原稿画像データを補正する補正工程とを有することを特徴とする画像読取方法。
【００８５】
〔実施態様８〕  画像読取方法をコンピュータに実行させるプログラムであって、原稿を搬送するための原稿搬送モジュールと、前記原稿の画像を原稿画像データとして読み取る画像読取モジュールと、前記原稿搬送手段上の汚れを検出する汚れ検出モジュールと、前記原稿の厚みを設定する原稿厚み設定モジュールと、前記検出した原稿搬送手段上の汚れ及び前記原稿の厚みに基づいて前記原稿画像データを補正する補正モジュールとを備えることを特徴とするプログラム。
【００８６】
〔実施態様９〕  実施態様８記載のプログラムを格納するコンピュータ読み取り可能な記憶媒体。
【００８７】
【発明の効果】
以上詳細に説明したように、本発明の画像読取装置によれば、検出した原稿搬送手段上の汚れ及び原稿の厚みに基づいて原稿画像データを補正するので、原稿搬送手段上の汚れが原稿透けにより原稿画像データに与え得る影響を軽減することができる。
【図面の簡単な説明】
【図１】本発明の第１の実施の形態に係る画像読取装置の一例の概略構成を示す断面図である。
【図２】画像読取装置１００の内部の概略構成を示すブロック図である。
【図３】画像読取装置１００によって実行されるベルト汚れ補正処理における動作タイミング図の一例を示す図である。
【図４】図３のベルト汚れデータ獲得期間Ａにおいて獲得したベルト汚れデータとベルト汚れ補正係数との関係を示す図である。
【図５】画像読取装置１００において利用される原稿厚みセンサ１１３の構成の一例を示すブロック図である。
【図６】原稿厚みセンサ１１３によって検知された紙厚とＣＰＵ２２０によって設定される補正補助係数αとの関係の一例を示す図である。
【図７】図１の画像読取装置１００において実行されるベルト汚れ補正処理を示すフローチャートである。
【図８】本発明の第２の実施の形態に係る画像読取装置の内部の概略構成を示すブロック図である。
【図９】本発明の第３の実施の形態に係る画像読取装置の内部の概略構成を示すブロック図である。
【図１０】リニアイメージセンサを用いた従来の画像読取装置の一例の概略構成を示す断面図である。
【図１１】（ａ）は、ベルト汚れが発生した原稿搬送ベルト１０１１を示す図であり、（ｂ）は、リニアイメージセンサ１００８により読み取られた（ａ）の原稿搬送ベルト１０１１の信号レベルを示す信号波形図である。
【図１２】（ａ）は、図１１（ｂ）の信号波形図と同じ原稿搬送ベルト１０１１の信号レベルを示す信号波形図であり、（ｂ）は、（ａ）の場合に、白紙原稿を読み取ったときの信号レベルを示す信号波形図である。
【符号の説明】
１００，８００，９００  画像読取装置
１０８  リニアイメージセンサ
１１０  ＡＤＦ（Auto Document Feeder:原稿自動搬送装置）
１１１  原稿搬送ベルト
１１３  原稿厚みセンサ
２１０，８１０，９１０  ベルト汚れ補正回路
２１２  加算回路
２１３  ラインメモリ
２１４  補正係数変換演算回路
２１５，２１６  乗算回路
２２０  ＣＰＵ
【図１】
2004194253.tif 000003
【図２】
2004194253.tif 000004
【図３】
2004194253.tif 000005
【図４】
2004194253.tif 000006
【図５】
2004194253.tif 000007
【図６】
2004194253.tif 000008
【図７】
2004194253.tif 000009
【図８】
2004194253.tif 000010
【図９】
2004194253.tif 000011
【図１０】
2004194253.tif 000012
【図１１】
2004194253.tif 000013
【図１２】
2004194253.tif 000014